(57)【要約】      （修正有）【課題】起泡性及び泡安定性に優れ、洗浄剤に配合した際に洗浄剤に適度な粘度を与えることができる洗浄剤組成物の提供。【解決手段】一般式（１）で表されるエーテルカルボン酸（塩）（Ａ）と、一般式（２）で表されるアルコールのアルキレンオキシド付加物（Ｂ）と、一般式（３）で表されるアルコール（Ｃ）とを含有する界面活性剤組成物。Ｒ１Ｏ−（Ａ１Ｏ）ｍ−Ｒ２−ＣＯＯＭ（１）、Ｒ３Ｏ−（Ａ２Ｏ）ｎ−Ｈ（２）、Ｒ４Ｏ−Ｈ（３）［上記式（１）、（２）、（３）中、Ｒ１、Ｒ３、Ｒ４：Ｃ８〜２２の直鎖又は分岐の脂肪族炭化水素基、Ｒ２：Ｃ１〜３のアルキレン基、Ａ１、Ａ２：炭素数２〜４のアルキレン基であり、ｍ、ｎ：１〜２０、Ｍ：水素イオン、アルカリ金属イオン、アンモニウムイオン又は有機アンモニウムイオンを表す。］【選択図】なし【特許請求の範囲】
【請求項１】
一般式（１）で表されるエーテルカルボン酸（塩）（Ａ）と、一般式（２）で表されるアルコールのアルキレンオキシド付加物（Ｂ）と、一般式（３）で表されるアルコール（Ｃ）とを含有する界面活性剤組成物。
Ｒ１Ｏ−（Ａ１Ｏ）ｍ−Ｒ２−ＣＯＯＭ      （１）
［一般式（１）中、Ｒ１は炭素数８〜２２の直鎖又は分岐の脂肪族炭化水素基であり、Ｒ２は炭素数１〜３のアルキレン基、Ａ１はそれぞれ独立に炭素数２〜４のアルキレン基であり、ｍは１〜２０の数を表し、Ｍは水素イオン、アルカリ金属イオン、アンモニウムイオン又は有機アンモニウムイオンを表す。］
Ｒ３Ｏ−（Ａ２Ｏ）ｎ−Ｈ      （２）
［一般式（２）中、Ｒ３は炭素数８〜２２の直鎖又は分岐の脂肪族炭化水素基であり、Ａ２はそれぞれ独立に炭素数２〜４のアルキレン基であり、ｎは１〜２０の数を表す。］
Ｒ４Ｏ−Ｈ      （３）
［一般式（３）中、Ｒ４は炭素数８〜２２の直鎖又は分岐の脂肪族炭化水素基である。］
【請求項２】
前記界面活性剤組成物は更に水を含有し、前記（Ａ）と（Ｂ）と（Ｃ）と水との合計重量に対する、（Ａ）の含有量が２０〜３５重量％、（Ｂ）及び（Ｃ）の合計含有量が０．４〜８重量％、水の含有量が５７〜７９．６重量％である請求項１に記載の界面活性剤組成物。
【請求項３】
一般式（１）におけるＡ１がエチレン基であり、Ｒ２がメチレン基である請求項１又は２に記載の界面活性剤組成物。
【請求項４】
前記（Ａ）と（Ｂ）と（Ｃ）との合計重量に対する（Ａ）の含有量が、７８〜９８重量％である請求項１〜３のいずれか１項に記載の界面活性剤組成物。
【請求項５】
前記（Ｂ）と前記（Ｃ）との重量比率（Ｂ）／（Ｃ）が、３０／７０〜９９／１である請求項１〜４のいずれか１項に記載の界面活性剤組成物。
【請求項６】
炭素数１〜６のアルコール、両性界面活性剤、カチオン性界面活性剤、（Ａ）以外のアニオン性界面活性剤、（Ｂ）以外のノニオン界面活性剤、増粘剤、ゲル化剤、薬効剤、抗
炎症剤、抗菌剤、防腐剤、紫外線吸収剤、酸化防止剤、コンディショニング剤、エモリエント剤、シリコーン、パール化剤、キレート剤、ｐＨ調整剤、色素及び香料からなる群から選ばれる１種以上並びに請求項１〜５のいずれかに記載の界面活性剤組成物を含有してなる洗浄剤組成物。
【発明の詳細な説明】
【技術分野】
【０００１】
本発明は、界面活性剤組成物及び洗浄剤組成物に関する。
【背景技術】
【０００２】
従来、エーテルカルボン酸型アニオン界面活性剤は、毛髪用や身体用の洗浄剤として配合されており、特にアルキレンオキサイドの付加モル分布の狭いエーテルカルボン酸型アニオン界面活性剤は低刺激性で低温安定性に優れることが知られている（特許文献１〜３）。
更に、特定の分布を有するエーテルカルボン酸型アニオン界面活性剤について、すすぎ性が良好で皮脂洗浄性も高いことが知られている（特許文献４）。
【先行技術文献】
【特許文献】
【０００３】
【特許文献１】特開昭６１−０２１１９９号公報
【特許文献２】特開平０２−１７５７９９号公報
【特許文献３】特開２００１−２０７１８９号公報
【特許文献４】特開２０１２−０７２３９９号公報
【発明の概要】
【発明が解決しようとする課題】
【０００４】
しかしながら、これらの洗浄剤組成物は起泡性、すすぎ性、皮脂洗浄性に優れるものの、泡安定性が不十分で、毛髪用や身体用の洗浄剤として使用する際に粘度が低いため、手に取ったときに流れにくい粘度を出すためには多量の増粘剤を配合する必要があり、多量の増粘剤を配合することにより、泡量が減ったり泡質や外観安定性が悪くなったりするといった課題があった。
【課題を解決するための手段】
【０００５】
本発明者は、上記の課題を解決すべく鋭意検討した結果、本発明に到達した。即ち、本発明は、一般式（１）で表されるエーテルカルボン酸（塩）（Ａ）と、一般式（２）で表されるアルコールのアルキレンオキシド付加物（Ｂ）と一般式（３）で表されるアルコール（Ｃ）とを含有する界面活性剤組成物及び前記界面活性剤組成物を含む洗浄剤組成物である。
Ｒ１Ｏ−（Ａ１Ｏ）ｍ−Ｒ２−ＣＯＯＭ      （１）
［一般式（１）中、Ｒ１は炭素数８〜２２の直鎖又は分岐の脂肪族炭化水素基であり、Ｒ２は炭素数１〜３のアルキレン基、Ａ１はそれぞれ独立に炭素数２〜４のアルキレン基であり、ｍは１〜２０の数を表し、Ｍは水素イオン、アルカリ金属イオン、アンモニウムイオン又は有機アンモニウムイオンを表す。］
Ｒ３Ｏ−（Ａ２Ｏ）ｎ−Ｈ      （２）
［一般式（２）中、Ｒ３は炭素数８〜２２の直鎖または分岐の脂肪族炭化水素基であり、
Ａ２はそれぞれ独立に炭素数２〜４のアルキレン基であり、ｎは１〜２０の数を表す。］
Ｒ４Ｏ−Ｈ      （３）
［一般式（３）中、Ｒ４は炭素数８〜２２の直鎖又は分岐の脂肪族炭化水素基である。］
【発明の効果】
【０００６】
本発明の界面活性剤組成物及びそれを含む洗浄剤組成物は、起泡性及び泡安定性に優れ、洗浄剤に配合した際に洗浄剤に適度な粘度を与えることができるという効果を奏する。
【発明を実施するための形態】
【０００７】
本発明の界面活性剤組成物は、一般式（１）で表されるエーテルカルボン酸（塩）（Ａ）と、一般式（２）で表されるアルコールのアルキレンオキシド付加物（Ｂ）と一般式（３）で表されるアルコール（Ｃ）とを含有する。
【０００８】
Ｒ１Ｏ−（Ａ１Ｏ）ｍ−Ｒ２−ＣＯＯＭ      （１）
【０００９】
上記一般式（１）中、Ｒ１は炭素数８〜２２の直鎖又は分岐の脂肪族炭化水素基である。炭素数８〜２２の直鎖又は分岐の脂肪族炭化水素基は、例えば、オクチル基、ノニル基、デシル基、ウンデシル基、ラウリル基、トリデシル基、ミリスチル基、ペンタデシル基、セチル基、ヘプタデシル基、オクタデシル基、ノナデシル基、イコシル基、ヘンイコシル基、ドコシル基、オクテニル基、ノネニル基、デセニル基、ウンデセニル基、ドデセニル基、トリデセニル基、テトラデセニル基、ペンタデセニル基、ヘキサデセニル基、ヘプタデセニル基、オクタデセニル基、ノナデセニル基、イコセニル基、ヘンイコセニル基、ドコセニル基、オクタジエニル基、ノナジエニル基、デカジエニル基、ウンデカジエニル基、ドデカジエニル基、トリデカジエニル基、テトラデカジエニル基、ペンタデカジエニル基、ヘキサデカジエニル基、ヘプタデカジエニル基、オクタデカジエニル基、ノナデカジエニル基、イコサジエニル基、ヘンイコサジエニル基、ドコサジエニル基、オクタデカトリエニル基、イコサトリエニル基、イコサテトラエニル基、イコサペンタエニル基、ドコサヘキサエニル基、イソステアリル基及びテトラメチルヘキサデセニル基（フィチル基）等が挙げられる。
【００１０】
Ｒ１のうち起泡性の観点より、好ましくは飽和又は不飽和結合を含む炭素数１０〜１６の脂肪族炭化水素基であり、更に好ましくは飽和結合のみからなる炭素数１２〜１４の脂肪族炭化水素基である。
【００１１】
上記一般式（１）中、Ｒ２は炭素数１〜３のアルキレン基であり、炭素数１〜３のアルキレン基としては、メチレン基、エチレン基及びプロピレン基が挙げられる。
Ｒ２のうち、配合時の粘度の観点より、好ましくはメチレン基である。
【００１２】
上記一般式（１）中、Ａ１Ｏはそれぞれ独立に炭素数２〜４のオキシアルキレン基を表す。具体的には、オキシエチレン基（以下、ＥＯと略記）、オキシプロピレン基（以下、ＰＯと略記）及びオキシブチレン基（以下、ＢＯと略記）等が挙げられる。これらのうち、起泡性の観点から、好ましくはＥＯ及びＰＯであり、更に好ましくはＥＯである。
【００１３】
上記一般式（１）中、ｍは１〜２０の数を表し、起泡性の観点より、好ましくは１〜５の数である。
【００１４】
上記一般式（１）中のＭは水素イオン、アルカリ金属イオン、アンモニウムイオン及び有機アンモニウムイオンを表す。
アルカリ金属イオンとしては、ナトリウムイオン及びカリウムイオン等が挙げられる。
有機アンモニウムイオンとしては、テトラメチルアンモニウムイオン、テトラエチルアンモニウムイオン、テトラプロピルアンモニウムイオン及びテトラブチルアンモニウムイオン等が挙げられる。
これらのうち、起泡性の観点から、好ましくはアルカリ金属イオン及びアンモニウムイオンであり、更に好ましくはアルカリ金属イオンである。
【００１５】
本発明の一般式（１）で表されるエーテルカルボン酸（塩）（Ａ）としては、例えばポリオキシエチレン（ＥＯ３）ラウリルエーテル酢酸、ポリオキシエチレン（ＥＯ３）ラウリルエーテル酢酸カリウム、ポリオキシエチレン（ＥＯ３）ラウリルエーテル酢酸ナトリウム、ポリオキシエチレン（ＥＯ５）ラウリルエーテル酢酸ナトリウム、ポリオキシエチレン（ＥＯ４）トリデシルエーテル酢酸、ポリオキシエチレン（ＥＯ３）トリデシルエーテル酢酸ナトリウム、ポリオキシエチレン（ＥＯ７）トリデシルエーテル酢酸ナトリウム、ポリオキシエチレン（ＥＯ１１）ラウリルエーテル酢酸ナトリウム及びポリオキシエチレン（ＥＯ３）ミリスチルエーテル酢酸ナトリウム等が挙げられる。
これらのうち、起泡性の観点より、好ましくはポリオキシエチレン（ＥＯ３）ラウリルエーテル酢酸カリウム、ポリオキシエチレン（ＥＯ３）ラウリルエーテル酢酸ナトリウム、ポリオキシエチレン（ＥＯ３）トリデシルエーテル酢酸ナトリウム及びポリオキシエチレン（ＥＯ３）ミリスチルエーテル酢酸ナトリウムである。
【００１６】
Ｒ３Ｏ−（Ａ２Ｏ）ｎ−Ｈ      （２）
【００１７】
上記一般式（２）はアルコールのアルキレンオキシド付加物を表す。
一般式（２）中、Ｒ３は炭素数８〜２２の直鎖又は分岐の脂肪族炭化水素基であり、上述のＲ１で例示した基を用いることができる。
これらのうち、起泡性の観点より、好ましくは飽和又は不飽和結合を含む炭素数１０〜１６の脂肪族炭化水素基であり、更に好ましくは不飽和結合を含む炭素数１２〜１４の脂肪族炭化水素基である。
【００１８】
上記一般式（２）中、Ａ２Ｏはそれぞれ独立に炭素数２〜４のオキシアルキレン基を表す。具体的には、オキシエチレン基（以下、ＥＯと略記）、オキシプロピレン基（以下、ＰＯと略記）及びオキシブチレン基（以下、ＢＯと略記）等が挙げられる。これらのうち、配合時の粘度の観点から、好ましくはＥＯ及びＰＯであり、更に好ましくはＥＯである。
【００１９】
上記一般式（２）中、ｎは１〜２０の数を表し、配合時の粘度の観点より、好ましくは１〜５の数である。
【００２０】
一般式（２）で表されるアルコールのアルキレンオキシド付加物（Ｂ）としては、例えば、ポリオキシエチレンオクチルエーテル、ポリオキシエチレンデシルエーテル、ポリオキシエチレンラウリルエーテル、ポリオキシエチレントリデシルエーテル、ポリオキシエチレンミリスチルエーテル、ポリオキシエチレンペンタデシルエーテル、ポリオキシエチレンセチルエーテル、ポリオキシエチレンヘプタデシルエーテル、ポリオキシエチレンオクタデシルエーテル及びポリオキシエチレンイソステアリルエーテル等が挙げられる。
これらのうち、起泡性の観点より、好ましくはポリオキシエチレンデシルエーテル、ポリオキシエチレンラウリルエーテル、ポリオキシエチレンミリスチルエーテル及びポリオキシエチレンセチルエーテルである。
【００２１】
本発明における一般式（１）で表されるエーテルカルボン酸（塩）（Ａ）は、公知の方法で製造することができ、例えば以下の工程（１）〜（４）を経て（Ａ）が製造できる。
工程（１）：一般式Ｒ１ＯＨ［Ｒ１は一般式（１）における基と同じ］で示されるアルコール（ａ１）に炭素数２〜４のアルキレンオキサイドを付加して、アルコール（ａ１）のアルキレンオキサイド付加物（ａ２）を得る工程。
工程（２）：前記（ａ２）を苛性アルカリ存在下でハロゲン化カルボン酸アルカリ金属塩などによりカルボキシアルキル化する工程。
工程（３）：反応系内を酸性にして、水洗・分液し、副生したハロゲン化アルカリ金属塩を除去し、精製して、酸型のエーテルカルボン酸型界面活性剤を得る工程。
工程（４）：アルカリ性物質を用いて中和し、少なくとも一部に塩型のエーテルカルボン酸型界面活性剤を含むエーテルカルボン酸型界面活性剤を得る工程。
【００２２】
工程（１）の反応条件としては、（ａ１）に触媒及び必要により溶媒を仕込み、窒素置換を行った後、−０．８〜５ＭＰａで、８０〜２００℃で炭素数２〜４のアルキレンオキサイドを導入し、所定量のアルキレンオキサイドを圧入後、８０〜２００℃で反応系内の圧力が平衡になるまで熟成を行う方法などが挙げられる。
前述の触媒としては、アルカリ触媒、ルイス酸触媒、過ハロゲン酸もしくはその塩、硫酸もしくはその塩、燐酸もしくはその塩、及び硝酸もしくはその塩等が挙げられる。
アルカリ触媒としては、アルカリ金属及びアルカリ土類金属の水酸化物が挙げられ、具体的には水酸化リチウム、水酸化ナトリウム、水酸化カリウム、水酸化セシウム、水酸化マグネシウム、水酸化カルシウム及び水酸化バリウム等が挙げられる。これらのうち、好ましくは、水酸化カリウム及び水酸化セシウムである。
ルイス酸触媒としては、四塩化スズ、五塩化アンチモン、三塩化鉄及び三フッ化ホウ素等が挙げられる。
【００２３】
触媒の使用量としては、反応速度と経済性の点から、前述（ａ１）と（ａ１）に付加させる炭素数２〜４のアルキレンオキサイドとの合計１００重量部当たり、好ましくは０．００１〜１重量部であり、更に好ましくは０．００３〜０．８重量部であり、最も好ましくは０．００５〜０．５重量部である。
また触媒、溶媒及び触媒の使用量などは、特開平２００１−０１１４８９号公報に記載のものも適用できる。
【００２４】
工程（２）における苛性アルカリとしては、水酸化ナトリウム及び水酸化カリウム等が挙げられる。苛性アルカリの性状としては、水溶液、粉末状、顆粒状及びフレーク状等が挙げられる。反応効率の良さ及び安全性の観点から、これらのうち好ましいのは顆粒状である。
【００２５】
工程（２）のハロゲン化カルボン酸アルカリ金属塩としては、モノクロル酢酸ナトリウム、モノクロル酢酸カリウム、モノブロム酢酸ナトリウム及びモノブロム酢酸カリウム等が挙げられる。
【００２６】
工程（２）においては、溶媒を使用してもよい。溶媒としては、ベンゼン、トルエン、キシレン、ヘキサン及びシクロヘキサン等が挙げられるが、反応効率の良さと反応後の除去しやすさの観点から、好ましいのはトルエンである。溶媒を使用する場合の好ましい溶媒濃度は、工程（２）で使用する溶媒以外のすべての原料重量の総和に対して、５〜１３０重量％である。
【００２７】
工程（３）において使用できる酸は、塩酸及び硫酸等の鉱酸が好ましい。
酸を加えて酸型のエーテルカルボン酸とすることで、反応中に副生した塩の水溶液との分離がしやすくなる。酸の仕込み当量は、工程（２）における苛性アルカリの当量の１．０〜１．５当量が好ましい。また、水洗・分液がしやすいように、適宜、水を追加してもよい。
【００２８】
工程（４）で使用できるアルカリ性物質は、例えば、水酸化リチウム、水酸化ナトリウム、水酸化カリウム、アンモニア、有機アミン、塩基性アミノ酸及び四級アンモニウム水酸化物等が挙げられる。
【００２９】
本発明における一般式（２）で表されるアルコールのアルキレンオキシド付加物（Ｂ）は、公知の方法で製造することができる。
例えば一般式Ｒ３ＯＨ［Ｒ３は一般式（２）における基と同じ］で示されるアルコール（ａ３）を加圧反応容器に投入し、無触媒又は触媒の存在下に、炭素数２〜４のアルキレンオキサイドを滴下し、１段階又は多段階で反応を行う方法が挙げられる。炭素数２〜４のアルキレンオキサイドとしては、ＥＯ、ＰＯ及びＢＯ等が挙げられ、これらの中で１種又は２種類以上を併用することができる。
反応温度は、好ましくは６０〜２００℃であり、更に好ましくは７０〜１４０℃である。反応圧力は、好ましくは０．００１〜０．５ＭＰａである。反応時間は、好ましくは２〜２４時間であり、更に好ましくは３〜１０時間である。
触媒としては、アルカリ触媒（水酸化ナトリウム及び水酸化カリウム等）等が挙げられる。触媒の使用量は、前述（ａ３）と（ａ３）に付加させる炭素数２〜４のアルキレンオキサイドとの合計重量に基づき好ましくは０．０１〜５重量％であり、更に好ましくは０．１〜０．５重量％である。
反応終了後、触媒は（Ｂ）中にそのまま残しておいてもよいし、吸着剤を用いて吸着・ろ過し除去する方法、酸で中和して触媒を不活性化する方法等により処理してもよい。
【００３０】
Ｒ４Ｏ−Ｈ      （３）
【００３１】
上記一般式（３）は１価のアルコールである。
一般式（３）中のＲ４は炭素数８〜２２の直鎖又は分岐の脂肪族炭化水素基であり、上述のＲ１で例示した基を用いることがでる。
これらのうち、起泡性の観点により、好ましくは飽和又は不飽和結合を含む炭素数１０〜１６の脂肪族炭化水素基であり、更に好ましくは不飽和結合を含む炭素数１２〜１４の脂肪族炭化水素基である。
【００３２】
一般式（３）で表されるアルコール（Ｃ）としては、オクチノール、デカノール、ウンデカノール、ラウリルアルコール、トリデシルアルコール、ミリスチルアルコール、ペンタデシルアルコール、セチルアルコール、ヘプタデシルアルコール、オクタデシルアルコール、ノナデシルアルコール及びイソステアリルアルコール等が挙げられる。
これらのうち、起泡性の観点から、好ましくはデカノール、ラウリルアルコール、ミリスチルアルコール及びセチルアルコールである。
【００３３】
前記（Ａ）の含有量は、前記（Ａ）と（Ｂ）と（Ｃ）との合計重量に対して、起泡性の観点から、好ましくは７８〜９８重量％である。
【００３４】
前記（Ｂ）と、前記（Ｃ）との重量比率（Ｂ）／（Ｃ）は、配合時の粘度の観点から、好ましくは３０／７０〜９９／１であり、更に好ましくは４０／６０〜９０／１０である。
【００３５】
本発明の界面活性剤組成物は、更に水を含有してもよい。
【００３６】
本発明の界面活性剤組成物が水を含有する場合、前記（Ａ）の含有量は、（Ａ）と（Ｂ）と（Ｃ）と水との合計重量に対して、起泡性の観点から、好ましくは２０〜３５重量％であり、更に好ましくは２３〜３０重量％である。
【００３７】
前記（Ｂ）及び（Ｃ）の合計含有量は、（Ａ）と（Ｂ）と（Ｃ）と水との合計重量に対して、本発明の界面活性剤組成物を含有する洗浄剤組成物の粘度と泡安定性の観点から、好ましくは０．４〜８重量％であり、更に好ましくは０．６〜４重量％である。
【００３８】
水の含有量は、（Ａ）と（Ｂ）と（Ｃ）と水との合計重量に対して本発明の洗浄剤組成物の粘度と泡安定性の観点から、好ましくは５７〜７９．６重量％であり、更に好ましくは６６〜７４．４重量％である。
【００３９】
本発明の洗浄剤組成物の性状は特に限定されないが、液体状及びペースト状が挙げられる。これらのうち、取り扱い易さの観点から好ましくは液体状である。
【００４０】
本発明の洗浄剤組成物は上述の界面活性剤組成物のみならず、炭素数１〜６のアルコール、両性界面活性剤、カチオン性界面活性剤、（Ａ）以外のアニオン性界面活性剤、（Ｂ）以外のノニオン界面活性剤、増粘剤、ゲル化剤、薬効剤、抗炎症剤、抗菌剤、防腐剤、紫外線吸収剤、酸化防止剤、コンディショニング剤、エモリエント剤、シリコーン、パール化剤、キレート剤、ｐＨ調整剤、色素及び香料からなる群から選ばれる１種以上を含有することが好ましい。
【００４１】
両性界面活性剤としては、アミノ酸型両性界面活性剤、カルボベタイン型両性界面活性剤及びスルホベタイン型両性界面活性剤等が挙げられる。
【００４２】
アミノ酸型両性界面活性剤としては、アルキルアミノプロピオン酸塩（ラウリルアミノプロピオン酸ナトリウム等）が挙げられる。
カルボベタイン型両性界面活性剤としては、アルキルジメチル酢酸ベタイン（ステアリルジメチルアミノ酢酸ベタイン及びラウリルジメチルアミノ酢酸ベタイン等）、アルキルアミド酢酸ベタイン｛ヤシ油脂肪酸アミドプロピルベタイン及びラウリン酸アミドプロピルベタイン等｝及びアルキルジヒドロキシアルキルベタイン（ラウリルジヒドロキシエチルベタイン等）等が挙げられる。
スルホベタイン型両性界面活性剤としては、アルキルジメチルヒドロキシスルホベタイン（ラウリルジメチルヒドロキシスルホベタイン等）、アルキルアミドヒドロキシスルホベタイン（ラウリルアミドプロピルヒドロキシスルホベタイン等）等が挙げられる。
【００４３】
カチオン性界面活性剤としては、第４級アンモニウム塩型及びアミン塩型などが挙げられる。
【００４４】
（Ａ）以外のアニオン性界面活性剤としては、（Ａ）以外のカルボン酸塩、硫酸エステル塩、高級アルキルエーテル硫酸エステル塩、硫酸化油、硫酸化脂肪酸エステル、硫酸化オレフィン、スルホン酸塩及びリン酸エステル塩などが挙げられる。
【００４５】
（Ｂ）以外のノニオン界面活性剤としては、アルキレンオキシド付加型非イオン界面活
性剤［高級アルコール（炭素数２３以上の脂肪族アルコール）、アルキルフェノール（炭素数１０〜２４）もしくは高級アミン（炭素数８〜１８）にアルキレンオキシドを付加させたものまたはさらに水酸基をアルキル化剤でアルキルエーテル化させたもの、ポリオキシアルキレングリコールに高級脂肪酸（炭素数１２〜２４）などを反応させたものまたは；ジオールまたは３〜８価の多価アルコールなどの水酸基含有化合物に高級脂肪酸（炭素数１２〜２４）を反応させて得られたエステル化物にアルキレンオキシドを付加させたもの、高級脂肪酸（炭素数８〜２４）アミドにアルキレンオキシドを付加させたもの、多価アルコール（前記のもの）アルキル（炭素数８〜６０）エーテルにアルキレンオキシドを付加させたものなど］、および多価アルコール（炭素数３〜２０）型非イオン界面活性剤［多価アルコール脂肪酸（炭素数８〜６０）エステル、多価アルコールアルキル（炭素数８〜６０）エーテル、脂肪酸（炭素数８〜６０）アルカノールアミド（例えば、ヤシ油脂肪酸モノエタノールアミド）］等が挙げられる。
【００４６】
増粘剤、ゲル化剤、薬効剤、抗炎症剤、抗菌剤、防腐剤、紫外線吸収剤、酸化防止剤、及び香料としては、「香粧品科学」田村健夫著  社団法人日本毛髪科学協会１９７６年発行のｐ２０４〜２１１に記載のゲル化剤としての高分子化合物、ｐ１８５〜１９６に記載の殺菌剤と防腐剤、ｐ１７７〜１８３に記載の紫外線吸収剤、ｐ１９９〜２０３に記載の酸化防止剤、ｐ１４５〜１４８に記載の着色料、およびｐ１５０〜１７６に記載の香料などが挙げられる。
エモリエント剤としては、例えばカルナウバ蝋、蜜蝋、鉱油、扁桃油、ヒマシ油、ゴマ油、水素化ポリイソブテン、およびジカプリル酸ジカプリン酸ブチレングリコール（ＳａｓｏｌからＭｙｇｌｙｏｌ（登録商標）として市販されている）など、これらの混合物が挙げられる。
コンディショニング剤としては、重量平均分子量５００〜５００万のカチオン化セルロース、カチオン化グアーガム、シリコーン類、ポリエチレングリコール、ポリアクリル酸ナトリウム、ヒドロキシエチルセルロース、タンパク質誘導体、セラミド類、擬似セラミド類、炭素数１６〜４０の脂肪酸及びパンテノール等が挙げられる。
キレート剤としては、エチレンジアミン四酢酸、ポリリン酸、ピロリン酸、グルコン酸、アスコルビン酸及びこれらの塩等が挙げられる。
ｐＨ調整剤としては、ｐＨ調整剤としては、炭酸カリウム、炭酸水素ナトリウム、炭酸水素アンモニウム、乳酸、コハク酸及びクエン酸等が挙げられる。
色素としては、青色１号、青色２号、緑色３号及び赤色１号等が挙げられる。
【実施例】
【００４７】
以下、実施例および比較例により本発明をさらに説明するが、本発明はこれらに限定されるものではない。以下、特に定めない限り、％は重量％、部は重量部を示す。
【００４８】
＜実施例１＞
撹拌及び温度調節機能の付いたステンレス製オートクレーブに、富士フィルム和光純薬（株）製デカノールを１５８部（１モル）及びナトリウムメチラート２８％メタノール溶液０．５部を仕込み、混合した後、系内の気相を窒素で置換した。その後、減圧下（２．６ＫＰａ）に、１２０℃にて２時間脱メタノールを行った。次いでＥＯ１３２部（３モル）を、１５０℃にてゲージ圧が０．１〜０．３ＭＰａとなるように導入した。ＥＯの付加重合に要した時間は３時間であった。その後、撹拌及び温度調節機能の付いたガラス製反応容器に上記生成物２１７．５部（０．７５モル）とモノクロル酢酸ナトリウム１１６．５部（１．０モル）を仕込み、温度を５０℃に保ちながら徐々に減圧度を高め１０ＫＰａとした。その後、減圧下に脱水しながら顆粒状の水酸化ナトリウム４５．２部（１．１３モル）を２時間かけて仕込み、更に熟成を６時間行った。水３５０部を加え、３５％の塩酸１３３部で酸性にし、３０分間撹拌した後、３時間静置し、分液して副生塩を含有する下液を廃棄した。７０℃にて水３３７部を加え、４８．５％の水酸化ナトリウム水溶液６２部（０．７５モル）を徐々に加えて中和することで界面活性剤組成物（Ｘ１）を得た。（Ｘ１）の組成は、ポリオキシエチレン（ＥＯの平均付加モル数＝３モル）トリデシルエーテル酢酸ナトリウム（Ａ１）が（Ｘ１）の全体重量に対して２９重量％、ポリオキシエチレンデシルエーテル（Ｂ１）が０．５重量％、デカノール（Ｃ１）が０．４重量％になるように水を加えて調整した。
【００４９】
＜実施例２＞
製造例１において、デカノールを富士フィルム和光純薬（株）製ラウリルアルコール１８６部（１モル）に、水３３７部を３８４部に変えた以外は同様の条件で界面活性剤組成物（Ｘ２）を得た。（Ｘ２）の組成は、ポリオキシエチレン（ＥＯ３）ラウリルエーテル酢酸ナトリウム（Ａ２）が（Ｘ２）の全体重量に対して２９重量％、ポリオキシエチレンラウリルエーテル（Ｂ２）が０．５重量％、ラウリルアルコール（Ｃ１）が０．４重量％であった。
【００５０】
＜実施例３＞
製造例１において、デカノールを富士フィルム和光純薬（株）製ミリスチルアルコール２１４部（１モル）に、水３３７部を４３１部に変えた以外は同様の条件で界面活性剤組成物（Ｘ３）を得た。（Ｘ３）の組成は、ポリオキシエチレン（ＥＯ３）ミリスチルエーテル酢酸ナトリウム（Ａ３）が（Ｘ３）の全体重量に対して２９重量％、ポリオキシエチレンミリスチルエーテル（Ｂ３）が０．５重量％、ミリスチルアルコール（Ｃ３）が０．４重量％であった。
【００５１】
＜製造例１＞
撹拌及び温度調節機能の付いたステンレス製オートクレーブに、富士フィルム和光純薬（株）製ラウリルアルコールを１８６部（１モル）及び水酸化カリウム０．１部を仕込み、混合した後、系内の気相を窒素で置換した。次いでＥＯ２２０部（５モル）を、１７０℃にてゲージ圧が０．１〜０．３ＭＰａとなるように導入した。ＥＯの付加重合に要した時間は５時間であった。その後、５０℃まで冷却し、クエン酸０．１部を加えて混合し、ｐＨを約７．０に調整し、ポリオキシエチレンラウリルエーテル（Ｂ２）９３重量％とラウリルアルコール（Ｃ２）７重量％の混合物（Ｄ１）を得た。
【００５２】
＜製造例２＞
製造例４において、ラウリルアルコール１８６部（１モル）を富士フィルム和光純薬（株）製ミリスチルアルコール２１４部（１モル）に変えた以外は同様の条件でポリオキシエチレンミリスチルエーテル（Ｂ３）９３重量％とミリスチルアルコール（Ｃ３）７重量％の混合物（Ｄ２）を得た。
【００５３】
＜製造例３＞
製造例４において、ラウリルアルコール１８６部（１モル）を富士フィルム和光純薬（株）製セチルアルコール２４２部（１モル）に変えた以外は同様の条件で、ポリオキシエチレンセチルエーテル（Ｂ４）９３重量％とセチルアルコール（Ｃ４）７重量％の混合物（Ｄ３）を得た。
【００５４】
＜実施例４〜１２及び比較例１〜４＞
上記の実施例１〜３で得られた（Ｘ１）〜（Ｘ３）、製造例１〜３で得られた（Ｄ１）〜（Ｄ３）、下記各種アルコールである（Ｃ２）〜（Ｃ４）及び水を、表１又は表２に示した部数になるように配合して界面活性剤組成物（Ｘ４）〜（Ｘ１２）及び（Ｘ’１）〜（Ｘ’４）を作製した。
（Ｃ２）ラウリルアルコール（富士フィルム和光純薬（株）製）
（Ｃ３）ミリスチルアルコール（富士フィルム和光純薬（株）製）
（Ｃ４）セチルアルコール（富士フィルム和光純薬（株）製）（Ｘ４）は、（Ｘ１）と（Ｘ１）の全体重量に対して２．２重量％の（Ｄ３）とを表１に記載の重量比になるように配合することで得られた界面活性剤組成物である。
（Ｘ５）は、（Ｘ２）と（Ｘ２）の全体重量に対して２．２重量％の（Ｄ１）とを表１に記載の重量比になるように配合することで得られた界面活性剤組成物である。
（Ｘ６）は、（Ｘ３）と（Ｘ３）の全体重量に対して２．２重量％の（Ｄ２）とを表１に記載の重量比になるように配合することで得られた界面活性剤組成物である。
（Ｘ７）は、（Ｘ２）と（Ｘ２）の全体重量に対して１６重量％の水とを表１に記載の重量比になるように配合することで得られた界面活性剤組成物である。
（Ｘ８）は、（Ｘ３）と（Ｘ３）の全体重量に対して１６重量％の水とを表１に記載の重量比になるように配合することで得られた界面活性剤組成物である。
（Ｘ９）は、（Ｘ７）と、（Ｘ７）の全体重量に対して１．１重量％の（Ｄ１）と、（Ｘ７）の全体重量に対して１．１重量％の（Ｄ２）と、（Ｘ７）の全体重量に対して２．２重量％の（Ｄ３）とを表１に記載の重量比になるように配合することで得られた界面活性剤組成物である。
（Ｘ１０）は、（Ｘ８）と、（Ｘ８）の全体重量に対して３．３重量％の（Ｄ１）と、（Ｘ８）の全体重量に対して３重量％の（Ｃ４）とを表１に記載の重量比になるように配合することで得られた界面活性剤組成物である。
（Ｘ１１）は、（Ｘ２）と、（Ｘ２）の全体重量に対して３８重量％の水とを表１に記載の重量比になるように配合することで得られた界面活性剤組成物である。
（Ｘ１２）は、（Ｘ２）と、（Ｄ１）と、（Ｃ２）と水とを加えて表１に記載の重量比になるように配合して得られた界面活性剤組成物である。
（Ｘ’１）はＸ２から（Ｂ２）と（Ｃ２）を減圧留去後、水を加えることによって得られた界面活性剤組成物である。
（Ｘ’２）はＸ１と水とを表２に記載の重量比になるように配合することで得られた界面活性剤組成物である。
（Ｘ’３）は（Ｘ２）と、（Ｄ１）と、（Ｃ２）と水とを加えて表２に記載の重量比になるように配合して得られた界面活性剤組成物である。
（Ｘ’４）は（Ｘ３）と、（Ｄ１）と、（Ｃ４）と水とを加えて表２に記載の重量比になるように配合して得られた界面活性剤組成物である。
【００５５】
【表１】
2020164815.tif 000002
【００５６】
【表２】
2020164815.tif 000003
【００５７】
＜実施例１３〜２４及び比較例５〜８＞
上記各種界面活性剤組成物（Ｘ１）〜（Ｘ１２）及び（Ｘ’１）〜（Ｘ’４）について、ヤシ油脂肪酸アミドプロピルベタイン（三洋化成工業（株）製、レボンＨＣ−３０Ｗ）、ヤシ油脂肪酸モノエタノールアミド（三洋化成工業（株）製、プロファンＡＢ−２０）、ポリオキシエチレン（６０）セトステアリルヒドロキシミリスチレンエーテル（ライオン・スペシャリティ・ケミカルズ（株）製、エルファコスＧＴ  ２８２Ｓ）、クエン酸、安息香酸、サリチル酸及び水を、表３又は表４に示した部数に従って、６０℃にて配合した。均一に撹拌後、上記組成物を４０℃以下に冷却し、ｐＨが６．０になるよう水酸化ナトリウム加えて調整することにより洗浄剤組成物（Ｙ１）〜（Ｙ１２）及び比較洗浄剤組成物（Ｙ’１）〜（Ｙ’４）を作製し、各種評価を行った。
【００５８】
＜起泡性評価＞
上記各種界面活性剤組成物（Ｘ１）〜（Ｘ１２）、（Ｘ’１）〜（Ｘ’４）について、水道水で１００倍に希釈し、クエン酸にてｐＨを７．０にした。また、（Ｙ１）〜（Ｙ１
２）および洗浄剤組成物（Ｙ’１）〜（Ｙ’４）については水道水で５０倍に希釈し、それぞれの水溶液２００ｍＬを東芝（株）製、ジュースミキサー（ＭＸ−３９０ＧＭ）を用いて、２５℃で３０秒間撹拌した直後の泡高さを読みとり、下記基準で判定し、表１〜４に記載した。
【００５９】
［判定基準］
◎；１３５ｍｍ以上
○；１２０ｍｍ以上１３５ｍｍ未満
△；１０５ｍｍ以上１２０ｍｍ未満
×；１０５ｍｍ未満
【００６０】
＜泡安定性評価＞
上記の起泡性評価と同様の方法で調整した各種水溶液を２５℃で３０秒間撹拌し、直後の泡高さと５分静置後の泡高さを読み取り、その泡高さの差を下記基準で判定し、表１〜表４に記載した。
【００６１】
［判定基準］
◎；泡高さの差が５ｍｍ未満
○；泡高さの差が５ｍｍ以上１０ｍｍ未満
△；泡高さの差が１０ｍｍ以上２０ｍｍ未満
×；泡高さの差が２０ｍｍ以上
【００６２】
＜配合時の粘度＞
配合時から一日経過した洗浄剤組成物（Ｙ１）〜（Ｙ１２）及び比較洗浄剤組成物（Ｙ’１）〜（Ｙ’４）を２５℃下における粘度についてＢ型粘度計を用いて測定し、下記基準で判定した。
【００６３】
［判定基準］
◎；４０００ｍＰａ・ｓ以上８０００ｍＰａ・ｓ未満
○；１０００ｍＰａ・ｓ以上４０００ｍＰａ・ｓ未満
△；５００ｍＰａ・ｓ以上１０００ｍＰａ・ｓ未満または
４０００ｍＰａ・ｓ以上８０００ｍＰａ・ｓ未満
×；５００ｍＰａ・ｓ未満または８０００ｍＰａ・ｓ以上
【００６４】
【表３】
2020164815.tif 000004
【００６５】
【表４】
2020164815.tif 000005
【産業上の利用可能性】
【００６６】
本発明は界面活性剤組成物及び洗浄剤組成物に関する発明である。前記界面活性剤組成物を含有する洗浄剤組成物は好適な外観安定性、気泡性及び泡安定性を有し、洗浄剤に配合の際、製剤に適度な粘度を与えることができるため、頭髪用洗浄剤又は皮膚用洗浄剤として好適である。また、家庭用洗浄剤（衣料用洗剤及び食器用洗剤等）及び工業用洗浄剤（金属及び精密部品等の洗浄剤等）として使用できる。